(57)【要約】【課題】施工性、経済性を確保しつつ、地震時に天井材（天井パネル）の破損や脱落が生じることを防止でき、優れた耐震性能を有する吊り天井構造を提供する。【解決手段】吊り部材４を介して建物の上部構造３に吊り下げ支持される野縁受け２と、野縁受け２に取り付けられる野縁１と、野縁１に取り付けられて天井部５を形成する天井材６とを備える吊り天井構造Ｂにおいて、天井部５の端部５ａと、天井部５の端部５ａの横方向Ｔ１、Ｔ２に配設された建物構成部材８との間に衝撃吸収材１５を介設して構成する。【選択図】図２
2013155579.tif 000002
【特許請求の範囲】
【請求項１】
吊り部材を介して建物の上部構造に吊り下げ支持される野縁受けと、前記野縁受けに取り付けられる野縁と、前記野縁に取り付けられて天井部を形成する天井材とを備える吊り天井構造において、
前記天井部の端部と、該天井部の端部の横方向に配設された建物構成部材及び／又は天井部付帯設備との間に衝撃吸収材を介設して構成されていることを特徴とする吊り天井構造。
【請求項２】
請求項１記載の吊り天井構造において、
前記衝撃吸収材が低反発素材であることを特徴とする吊り天井構造。
【請求項３】
請求項１または請求項２に記載の吊り天井構造において、
前記天井部の外周端部及び／又は前記建物構成部材に、吊り天井構造の廻縁を形成する廻縁部材が設けられており、
前記廻縁部材が前記衝撃吸収材を一体に備えて構成されていることを特徴とする吊り天井構造。
【発明の詳細な説明】
【技術分野】
【０００１】
本発明は、吊り天井の構造に関する。
【背景技術】
【０００２】
従来、例えば学校、病院、生産施設、体育館、プール、空港ターミナルビル、オフィスビル、劇場、シネコン等の建物の天井として、吊り天井が多用されている。そして、吊り天井（吊り天井構造）Ａは、例えば図８に示すように、水平の一方向Ｔ１に所定の間隔をあけて並設される複数の野縁１と、野縁１に直交し、水平の他方向Ｔ２に所定の間隔をあけて並設され、複数の野縁１に一体に接続して設けられる複数の野縁受け２と、下端を野縁受け２に接続し、上端を上階の床材等の上部構造３に固着して配設される複数の吊りボルト（吊り部材）４と、野縁１の下面にビス留めなどによって一体に取り付けられ、下階の天井面（天井部５）を形成する天井パネル（天井材）６とを備えて構成されている。
【０００３】
一方、このように野縁１及び野縁受け２の天井下地７と天井パネル６を吊りボルト４で吊り下げ支持してなる吊り天井Ａは、その構造上、地震時に作用する水平力によって横揺れしやすい。そして、地震時に横揺れして、天井部５の端部５ａが壁や柱、梁などの建物構成部材８に衝突し、天井パネル６に破損が生じたり、脱落が生じるおそれがあった。また、地震時に天井部５の端部５ａが建物構成部材８に当たることで大きな音が発生し、この衝突音が建物の使用者の恐怖感を煽り、パニックなどの２次災害を誘発するおそれもあった。なお、地震時に横揺れして、天井部５に開口形成され、照明、エアコンなどの天井部付帯設備を設置するための開口部の端部が天井部付帯設備に衝突し、天井パネル６の破損や脱落、衝突音が発生するおそれもある。
【０００４】
このため、例えば、予め建物構成部材８と天井部５の端部５ａの間に１００ｍｍ程度のクリアランスを設けることにより、地震によって横揺れが生じた場合であっても天井部５の端部５ａが建物構成部材８に衝突しないように構成した吊り天井Ａもある（例えば、特許文献１参照）。しかしながら、この場合には、クリアランスを塞ぎ、室側から天井裏空間を隠すための部材が必要になって高コスト化し、また、クリアランスによって気密性が低下し、室内の空調効率が低下するなどの不都合が生じてしまう。
【０００５】
これに対し、特許文献２には、建物構成部材８の間に粘弾性ダンパー等の天井制震装置を介在させ、地震時に天井部５の変位を天井制震装置が吸収することで衝突を防止するように構成した吊り天井が開示されている。
【先行技術文献】
【特許文献】
【０００６】
【特許文献１】実用新案登録第３１０２８１６号公報
【特許文献２】特開２００８−１３８４６４号公報
【発明の概要】
【発明が解決しようとする課題】
【０００７】
しかしながら、特許文献２のように、地震時に天井部の端部の衝突を防止するために粘弾性ダンパー、オイルダンパーなどの天井制震装置を採用した場合、やはり吊り天井が高コストになる可能性が高い。また、既設の吊り天井を耐震改修する場合には、天井制震装置を設置するために天井部を広範囲で解体するなど、作業に多大な労力、コストを要することになってしまうと思われる。
【０００８】
このため、このような天井制震装置を設置して天井部の端部の衝突を防止する対策は、現実的に吊り天井に適用することが困難であり、コストを抑えつつ確実に天井部の端部の衝突を防止でき、さらに新築だけでなく既設の吊り天井構造の耐震改修にも好適に採用可能な手法が強く望まれていた。
【０００９】
本発明は、上記事情に鑑み、施工性、経済性を確保しつつ、地震時に天井材（天井パネル）の破損や脱落が生じることを防止でき、優れた耐震性能を有する吊り天井構造を提供することを目的とする。
【課題を解決するための手段】
【００１０】
上記の目的を達するために、この発明は以下の手段を提供している。
【００１１】
本発明の吊り天井構造は、吊り部材を介して建物の上部構造に吊り下げ支持される野縁受けと、前記野縁受けに取り付けられる野縁と、前記野縁に取り付けられて天井部を形成する天井材とを備える吊り天井構造において、前記天井部の端部と、該天井部の端部の横方向に配設された建物構成部材及び／又は天井部付帯設備との間に衝撃吸収材を介設して構成されていることを特徴とする。
【００１２】
この発明においては、天井部の端部と、壁や柱、梁などの建物構成部材との間に、衝撃吸収材が介設されているため、地震時に水平力が作用して吊り天井構造が横揺れした際に、天井部の端部が建物構成部材に直接衝突することがなく、衝撃吸収材によって衝撃力を吸収し緩和することができる。また、照明、エアコンなどの天井部付帯設備を設置するために天井部に開口形成された開口部の端部と、天井部付帯設備との間に、衝撃吸収材を介設することによって、やはり、地震時に水平力が作用して吊り天井構造が横揺れした際に、この天井部の開口端部が天井部付帯設備に直接衝突することがなく、衝撃吸収材によって衝撃力を吸収し緩和することができる。また、このように衝撃吸収材によって衝撃力を吸収することによって、吊り天井構造の横揺れを抑制する（振動エネルギーを減衰させる）ことが可能になる。
【００１３】
これにより、地震時に天井材（天井パネル）に破損が生じたり、脱落が生じることを防止でき、また、地震時に天井部の端部が建物構成部材や天井部付帯設備に当たることで大きな音が発生し、この衝突音が建物の使用者の恐怖感を煽り、パニックなどの２次災害を誘発することを防止できる。
【００１４】
また、衝撃吸収材を天井部の端部や、建物構成部材、天井部付帯設備の側面に貼り付けるなどし、容易に天井部の端部と建物構成部材、天井部付帯設備の間に介設することができ、従来の粘弾性ダンパー、オイルダンパーなどの天井制震装置を設置する場合と比較し、施工の効率がよく、低コストで優れた耐震性能を吊り天井構造に付与することが可能になる。
【００１５】
また、本発明の吊り天井構造においては、前記衝撃吸収材が低反発素材であることが望ましい。
【００１６】
この発明においては、衝撃吸収材として低反発ウレタンフォームやＥＰＤＭ低反発発泡ゴム、中空ゴムなどの低反発素材を用いることにより、確実に、衝撃力を吸収し、地震時に吊り天井構造の横揺れを抑制することが可能になるとともに、天井材に破損や脱落が生じることを防止できる。また、低反発素材は、安価である上、天井部の端部や、建物構成部材、天井部付帯設備の側面に貼り付けるなどして、容易に天井部の端部と建物構成部材、天井部付帯設備の間に取り付けることができるため、施工性、経済性を確保しつつ、優れた耐震性能を付与することが可能になる。
【００１７】
さらに、本発明の吊り天井構造においては、前記天井部の外周端部及び／又は前記建物構成部材に、吊り天井構造の廻縁を形成する廻縁部材が設けられており、前記廻縁部材が前記衝撃吸収材を一体に備えて構成されていることがより望ましい。
【００１８】
この発明においては、例えば天井部の外周端部側の意匠性を確保するために、また、天井部の外周端部と建物構成部材との間に設けたクリアランスを塞ぐために取り付けられる廻縁部材が衝撃吸収材を一体に備えて構成されていることにより、廻縁部材を天井部の外周端部や建物構成部材に取り付けるとともに、容易に衝撃吸収材を天井部の端部と建物構成部材の間に介設することが可能になる。すなわち、廻縁部材を取り付けるとともに、容易に耐震性能を付与することが可能になる。
【発明の効果】
【００１９】
本発明の吊り天井構造においては、天井部の端部と、壁や柱、梁などの建物構成部材や天井部付帯設備との間に、衝撃吸収材が介設されているため、地震時に水平力が作用して吊り天井構造が横揺れした際に、天井部の端部が建物構成部材や天井部付帯設備に直接衝突することがなく、衝撃吸収材によって衝撃力を吸収し緩和することができる。また、このように衝撃吸収材によって衝撃力を吸収することによって、吊り天井構造の横揺れを抑制することが可能になる。
【００２０】
これにより、地震時に天井材（天井パネル）に破損が生じたり、脱落が生じることを防止でき、また、地震時に天井部の端部が建物構成部材や天井部付帯設備に当たることで大きな音が発生し、この衝突音が建物の使用者の恐怖感を煽り、パニックなどの２次災害を誘発することを防止できる。
【００２１】
また、衝撃吸収材を天井部の端部や、建物構成部材、天井部付帯設備の側面に貼り付けるなどし、容易に天井部の端部と建物構成部材、天井部付帯設備の間に介設することができ、従来の粘弾性ダンパー、オイルダンパーなどの天井制震装置を設置する場合と比較し、施工の効率がよく、低コストで優れた耐震性能を吊り天井構造に付与することが可能になる。
【００２２】
よって、本発明の吊り天井構造によれば、天井部の端部と、建物構成部材や天井部付帯設備との間に衝撃吸収材を介設することにより、施工性、経済性を確保しつつ、地震時に天井材の破損や脱落が生じることを防止でき、優れた耐震性能を付与することが可能になる。
【図面の簡単な説明】
【００２３】
【図１】本発明の一実施形態に係る吊り天井構造を示す斜視図である。
【図２】本発明の一実施形態に係る吊り天井構造を示す側断面図であり、天井部の外周端部側を拡大した図である。
【図３】本発明の一実施形態に係る吊り天井構造の変更例を示す側断面図であり、天井部の外周端部側を拡大した図である。
【図４】本発明の一実施形態に係る吊り天井構造の変更例を示す側断面図であり、天井部の外周端部側を拡大した図である。
【図５】本発明の一実施形態に係る吊り天井構造の変更例を示す側断面図（天井部の外周端部側を拡大した図）であり、衝撃吸収材を備えた廻縁部材を示す図である。
【図６】本発明の一実施形態に係る吊り天井構造の変更例を示す側断面図（天井部の外周端部側を拡大した図）であり、衝撃吸収材を備えた廻縁部材を示す図である。
【図７】本発明の一実施形態に係る吊り天井構造を示す側断面図であり、エアコンなどの天井部付帯設備の取り付け部分を拡大した図である。
【図８】従来の吊り天井構造を示す斜視図である。
【発明を実施するための形態】
【００２４】
以下、図１から図６を参照し、本発明の一実施形態に係る吊り天井構造について説明する。ここで、本実施形態は、例えば学校、病院、生産施設、体育館、プール、空港ターミナルビル、オフィスビル、劇場、シネコン等の建物の吊り天井の構造に関するものである。
【００２５】
本実施形態の吊り天井（吊り天井構造）Ｂは、図１及び図２に示すように、野縁１と野縁受け２と吊り部材（吊りボルト）４と天井材６とを備えて構成されている。
【００２６】
野縁１は、例えば断面コ字状に形成された溝形鋼であり、水平に延設され、且つ水平の一方向の横方向Ｔ１に所定の間隔をあけて平行に複数配設されている。
【００２７】
野縁受け２は、例えば断面コ字状に形成された溝形鋼であり、水平に延設され、且つ水平の他方向の横方向Ｔ２に所定の間隔をあけて平行に複数配設されている。また、このとき、野縁受け２は、野縁１と交差するように配設されるとともに、複数の野縁１上に載置した状態で配設される。そして、各野縁受け２は、野縁１と交差する交差部で、野縁接続用金具（クリップ）１０を使用することにより野縁１に接続されている。
【００２８】
吊り部材４は、円柱棒状に形成されるとともに外周面に雄ネジの螺刻を有する吊りボルトであり、上端を上階の床材等の上部構造３に固着、または鋼製の根太等に緊結して垂下され、下端側を、吊り部材接続用金具（ハンガー）１１を用いることにより野縁受け２に接続して複数配設されている。また、複数の吊り部材４は、所定の間隔をあけて分散配置されている。
【００２９】
天井材（天井パネル）６は、２枚のボードを貼り付けて一体に積層形成したものであり、例えば天井付帯設備等の重量と併せて、１ｍ２あたり２０ｋｇ程度の重量で形成されている。そして、この天井材６は、複数の野縁１の下面にビス留めなどして設置されている。なお、天井材６は、１枚および３枚以上のボードで構成されていてもよい。
【００３０】
そして、この吊り天井Ｂでは、吊り部材４を介して建物の上部構造３に、野縁１と野縁受け２と天井材６とが吊り下げ支持されている。また、野縁１と野縁受け２によって天井下地７が形成され、この天井下地７に取り付けた天井材６によって天井部５、この天井部５によって下階の天井面が形成されている。
【００３１】
一方、本実施形態の吊り天井Ｂにおいては、天井部５の外周端部（端部）５ａと、天井部５の外周端部５ａと横方向Ｔ１、Ｔ２に対向して配設された壁や柱、梁等の建物構成部材８との間に衝撃吸収材１５を介設して構成されている。
【００３２】
また、本実施形態では、衝撃吸収材１５として、例えば、軽く、衝撃吸収性、制振性、体圧分散性、吸音性、断熱性能に優れる等の多くの特長を有するシリコン、ポリプロピレン、ポリウレタン樹脂を原料にした低反発素材が用いられている。さらに、このような衝撃吸収材１５には、例えば、ヒステリシスロス率（ＪＩＳ  Ｋ  ６４００−２）の大きい衝撃吸収性フォームの特性、すなわち、圧縮した後に外力を取り除くと、ゆっくりと基に戻る復元性を有する反発弾性率が１５％程度以下（ＪＩＳ  Ｋ  ６４００−３）の特性を有する低反発弾性フォームなどの低反発素材を用いることが好ましい。ただし、本発明にかかる衝撃吸収材は、衝撃吸収性を備えていれば、必ずしも上記のような低反発素材でなくてもよい。
【００３３】
そして、本実施形態では、このような衝撃吸収材１５が、図２に示すように壁や柱、梁等の建物構成部材８の側面に貼り付けて、天井部５の外周端部５ａと建物構成部材８の横方向Ｔ１、Ｔ２の間に介設されている。なお、衝撃吸収材１５は、図３に示すように天井部５の外周端部５ａに貼り付けて、天井部５の外周端部５ａと建物構成部材８の間に介設するようにしてもよい。さらに、図４に示すように、建物構成部材８や天井部５の外周端部５ａに固定して取り付ける取付具１６を用い、例えば金属やプラスチック製、それに類する成形の取付具１６に衝撃吸収材１５を保持させて、衝撃吸収材１５を天井部５の外周端部５ａと建物構成部材８の間に介設するようにしてもよい。
【００３４】
ここで、吊り天井には、例えば金属やプラスチック製の廻縁部材１７を天井部５（天井材６）の外周端部５ａに取り付け、天井部５の外周端部５ａと建物構成部材８の取り合い部分の外観を確保（良く）するように構成したものがある（図５参照）。また、天井部５の外周端部５ａと建物構成部材８との横方向Ｔ１、Ｔ２の間に例えば１００ｍｍ程度のクリアランスを設け、このクリアランスを上下方向Ｔ３に重なって塞ぐ閉塞部１８ａを有する廻縁部材１８を取り付けて構成したものがある（図６参照）。
【００３５】
このため、例えば、天井部５の外周端部５ａと建物構成部材８の取り合い部分の外観を良くするために設置する廻縁部材１７を、例えば図５に示すように、天井部５の外周端部５ａを嵌合させて廻縁部材１７を外周端部５ａに取り付けるための嵌合凹部１７ａと、衝撃吸収材１５を建物構成部材８側に配した状態で一体に保持する衝撃吸収材保持部１７ｂとを備え、衝撃吸収材１５を衝撃吸収材保持部１７ｂで一体に保持するように構成してもよい。また、衝撃吸収材保持部１７ｂは、建物構成部材８側に開口して嵌合凹部１７ａ側に向けて凹み、衝撃吸収材１５を嵌合して一体に保持するように形成することが好ましい。
【００３６】
そして、このように廻縁部材１７を形成した場合には、衝撃吸収材保持部１７ｂに嵌め込むことにより、衝撃吸収材１５が一体に具備され、天井部５の外周端部５ａを嵌合凹部１７ａに嵌め込んで取り付ける。これにより、天井部５の外周端部５ａと建物構成部材８の取り合い部分の外観を良くすることができるとともに、天井部５の外周端部５ａと建物構成部材８の横方向Ｔ１、Ｔ２の間に衝撃吸収材１５が容易に介設されることになる。
【００３７】
また、例えば、天井部５の外周端部５ａと建物構成部材８との横方向Ｔ１、Ｔ２の間に設けたクリアランスを閉塞部１８ａで塞ぐ廻縁部材１８を、例えば図６に示すように、衝撃吸収材１５を衝撃吸収材保持部１８ｂで一体に保持するように構成してもよい。また、衝撃吸収材保持部１８ｂは、衝撃吸収材１５を嵌合して一体に保持する凹所として形成することが好ましい。
【００３８】
このように廻縁部材１８を形成した場合には、衝撃吸収材保持部１８ｂに嵌め込むことにより、衝撃吸収材１５が一体に具備され、この廻縁部材１８を建物構成部材８にビス留めなどで取り付ける。これにより、閉塞部１８ａでクリアランスを塞ぐことができるとともに、天井部５の外周端部５ａと建物構成部材８の横方向Ｔ１、Ｔ２の間に衝撃吸収材１５が容易に介設されることになる。
【００３９】
そして、上記のように、天井部５の外周端部５ａと建物構成部材８の横方向Ｔ１、Ｔ２の間に衝撃吸収材１５を介設して吊り天井Ｂを構成した場合には、地震時に水平力が作用して吊り天井Ｂが横揺れした際に、天井部５の外周端部５ａが建物構成部材８に直接衝突せず、衝撃吸収材１５が常に天井部５の外周端部５ａと建物構成部材８の間に挟まった形になる。このため、この衝撃吸収材１５によって衝撃力が吸収して緩和され、吊り天井Ｂの横揺れが抑制される。すなわち、吊り天井Ｂに作用した振動エネルギーが減衰される。また、このとき、衝撃吸収材１５として低反発弾性フォームなどの低反発素材を用いると、確実に、衝撃力を吸収して吊り天井Ｂの横揺れが抑制されることになる。
【００４０】
したがって、本実施形態の吊り天井構造Ｂにおいては、天井部５の端部５ａと、壁や柱、梁などの建物構成部材８との間に、衝撃吸収材１５が介設されているため、地震時に水平力が作用して吊り天井構造Ｂが横揺れした際に、天井部５の端部５ａが建物構成部材８に直接衝突することがなく、衝撃吸収材１５によって衝撃力を吸収し緩和することができる。また、このように衝撃吸収材によって衝撃力を吸収することによって、吊り天井構造の横揺れを抑制する（振動エネルギーを減衰させる）ことが可能になる。
【００４１】
これにより、地震時に天井材（天井パネル）６に破損が生じたり、脱落が生じることを防止でき、また、地震時に天井部５の端部５ａが建物構成部材８に当たることで大きな音が発生し、この衝突音が建物の使用者の恐怖感を煽り、パニックなどの２次災害を誘発することを防止できる。
【００４２】
また、衝撃吸収材１５を天井部５の端部５ａや建物構成部材８の側面に貼り付けるなどし、容易に天井部５の端部５ａと建物構成部材８の間に介設することができ、従来の粘弾性ダンパー、オイルダンパーなどの天井制震装置を設置する場合と比較し、施工の効率がよく、低コストで優れた耐震性能を吊り天井構造Ｂに付与することが可能になる。
【００４３】
よって、本実施形態の吊り天井構造Ｂによれば、天井部５の端部５ａと、建物構成部材８との間に衝撃吸収材１５を介設することにより、施工性、経済性を確保しつつ、地震時に天井材６の破損や脱落が生じることを防止でき、優れた耐震性能を付与することが可能になる。
【００４４】
また、本実施形態の吊り天井構造Ｂにおいては、衝撃吸収材１５として低反発ウレタンフォームなどの低反発素材を用いることにより、確実に、衝撃力を吸収し、地震時に吊り天井構造Ｂの横揺れを抑制することが可能になるとともに、天井材６に破損や脱落が生じることを防止できる。また、低反発素材は、安価である上、天井部５の端部５ａや、建物構成部材８の側面に貼り付けるなどして、容易に天井部５の端部５ａと建物構成部材８の間に取り付けることができるため、施工性、経済性を確保しつつ、優れた耐震性能を付与することが可能になる。
【００４５】
さらに、例えば天井部５の外周端部５ａ側の意匠性を確保するために、また、天井部５の外周端部５ａと建物構成部材８との間に設けたクリアランスを塞ぐために取り付けられる廻縁部材１７、１８が衝撃吸収材１５を一体に備えて構成されていることにより、廻縁部材１７、１８を天井部８の外周端部５ａや建物構成部材８に取り付けるとともに、容易に衝撃吸収材１５を天井部５の端部５ａと建物構成部材８の間に介設することが可能になる。すなわち、廻縁部材１７、１８を取り付けるとともに、容易に耐震性能を付与することが可能になる。
【００４６】
以上、本発明に係る吊り天井構造の一実施形態について説明したが、本発明は上記の一実施形態に限定されるものではなく、その趣旨を逸脱しない範囲で適宜変更可能である。
【００４７】
例えば、本実施形態では、吊り天井構造Ｂが天井部５の外周端部５ａと建物構成部材８の間に衝撃吸収材１５を設けて構成されているものとした。これに対し、例えば図７に示すように、照明、エアコンなどの天井部付帯設備１９を設置するために天井部５に開口形成された開口部５ｂの端部５ａと、天井部付帯設備１９との間に、衝撃吸収材１５を介設して吊り天井構造Ｂを構成するようにしてもよい。
【００４８】
そして、この場合には、本実施形態と同様、地震時に水平力が作用して吊り天井構造Ｂが横揺れした際に、この天井部５の開口端部５ａが天井部付帯設備１９に直接衝突することがなく、衝撃吸収材１５によって衝撃力を吸収し緩和することができる。また、このように衝撃吸収材によって衝撃力を吸収することによって、吊り天井構造Ｂの横揺れを抑制することが可能になる。
【００４９】
これにより、地震時に天井材６に破損が生じたり、脱落が生じることを防止でき、また、地震時に天井部５の端部５ａが天井部付帯設備１９に当たることで大きな音が発生し、この衝突音が建物の使用者の恐怖感を煽り、パニックなどの２次災害を誘発することを防止できる。また、衝撃吸収材１５を天井部５の端部５ａや天井部付帯設備１９の側面に貼り付けるなどし、容易に天井部５の端部５ａと天井部付帯設備１９の間に介設することができ、従来の粘弾性ダンパー、オイルダンパーなどの天井制震装置を設置する場合と比較し、施工の効率がよく、低コストで優れた耐震性能を吊り天井構造Ｂに付与することが可能になる。
【００５０】
また、既設の吊り天井構造の天井部５の端部５ａと建物構成部材８及び／又は天井部付帯設備１９との間に衝撃吸収材１５を介設して、本発明を既設の吊り天井構造の耐震改修に適用するようにしてもよい。この場合には、衝撃吸収材１５を設置するだけで、既設の吊り天井構造に優れた耐震性能を付与することが可能になる。
【符号の説明】
【００５１】
１      野縁
２      野縁受け
３      上部構造
４      吊り部材（吊りボルト）
５      天井部
５ａ    端部
５ｂ    開口部
６      天井材（天井パネル）
７      天井下地
８      建物構成部材
１０    野縁接続用金具（クリップ）
１１    吊り部材接続用金具（ハンガー）
１５    衝撃吸収材
１６    取付具
１７    廻縁部材
１７ａ  嵌合凹部
１７ｂ  衝撃吸収材保持部
１８    廻縁部材
１８ａ  閉塞部
１８ｂ  衝撃吸収材保持部
１９    天井部付帯設備
Ａ      従来の吊り天井構造
Ｂ      吊り天井構造
Ｔ１    横方向（一方向）
Ｔ２    横方向（他方向）
Ｔ３    上下方向
【図１】
2013155579.tif 000003
【図２】
2013155579.tif 000004
【図３】
2013155579.tif 000005
【図４】
2013155579.tif 000006
【図５】
2013155579.tif 000007
【図６】
2013155579.tif 000008
【図７】
2013155579.tif 000009
【図８】
2013155579.tif 000010